(57)【要約】【課題】電源装置の変圧出力の線形性を維持しつつ、電源装置を小型化する。【解決手段】変圧部８２は、第１の固定電源７４又は第２の固定電源７６から印加される駆動電圧を変圧して出力する。トランス８６は、スイッチ７８，８０を介して接続される第１の固定電源７４及び第２の固定電源７６の出力電圧をそれぞれ一次側への駆動電圧として受け入れ、駆動回路８８の駆動に応じて、駆動電圧を変圧する。駆動回路８８は、パルス幅変調部９６が出力する駆動クロックのパルス幅に応じて、トランス８６の一次側に流れる電流を変化させる。ＣＰＵ９０は、設定情報取得回路９８から入力される設定情報に応じて、変圧部８２の出力電圧の目標値を設定し、設定した目標値に応じて、第１のオン／オフ信号及び第２のオン／オフ信号をスイッチ７８，８０に対してそれぞれ出力するとともに、パルス幅変調部９６が出力する駆動クロックのパルス幅を設定する。【選択図】図２
2009060707.tif 000002
【特許請求の範囲】
【請求項１】
出力電圧が互いに異なる複数の固定電源と、パルス幅を変更可能なパルスを生成するパルス生成手段と、このパルス生成手段が生成するパルスのパルス幅に応じて、前記固定電源のいずれかが出力する電圧を変圧して出力する変圧手段と、この変圧手段が変圧した電圧を検出する電圧検出手段と、この電圧検出手段の検出結果に応じて、前記パルス生成手段が生成するパルスのパルス幅を制御するパルス幅制御手段と、前記変圧手段の出力電圧を設定するための設定情報を取得する設定情報取得手段と、この設定情報取得手段が取得する設定情報に基づいて、前記固定電源のいずれが出力する電圧を前記変圧手段が変圧するかを切り替える切替手段とを有する電源装置。
【請求項２】
前記設定情報取得手段は、温度、湿度及び前記変圧手段の動作量の少なくともいずれかを設定情報として取得する請求項１記載の電源装置。
【請求項３】
前記切替手段が切り替えを行う場合に、前記パルス生成手段がパルスの生成を停止するよう制御する切替制御手段をさらに有する請求項１又は２記載の電源装置。
【請求項４】
像保持体と、この像保持体を帯電させる帯電装置と、この帯電装置が帯電させた前記像保持体に静電潜像を書き込む光書込み装置と、この光書込み装置が書き込んだ静電潜像を現像剤により可視化する現像装置と、この現像装置が可視化した現像剤像を記録媒体に転写する転写装置と、この転写装置が転写した現像剤像を記録媒体に定着させる定着装置と、前記帯電装置、前記現像装置及び前記転写装置の少なくともいずれかに電圧を印加する電源装置とを具備し、前記電源装置は、出力電圧が互いに異なる複数の固定電源と、パルス幅を変更可能なパルスを生成するパルス生成手段と、このパルス生成手段が生成するパルスのパルス幅に応じて、前記固定電源のいずれかが出力する電圧を変圧して出力する変圧手段と、この変圧手段が変圧した電圧を検出する電圧検出手段と、この電圧検出手段の検出結果に応じて、前記パルス生成手段が生成するパルスのパルス幅を制御するパルス幅制御手段と、前記変圧手段の出力電圧を設定するための設定情報を取得する設定情報取得手段と、この設定情報取得手段が取得する設定情報に基づいて、前記固定電源のいずれが出力する電圧を前記変圧手段が変圧するかを切り替える切替手段とを有する画像形成装置。
【請求項５】
前記設定情報取得手段は、温度、湿度及び前記像保持体の動作量の少なくともいずれかを設定情報として取得する請求項４記載の画像形成装置。
【請求項６】
前記切替手段が切り替えを行う場合に、前記パルス生成手段がパルスの生成を停止するよう制御する切替制御手段をさらに有する請求項４又は５記載の画像形成装置。
【発明の詳細な説明】
【技術分野】
【０００１】
本発明は、電源装置及び画像形成装置に関するものである。
【背景技術】
【０００２】
特許文献１は、出力トランスの二次巻線からの整流出力により充電回路が充電する容量負荷の電圧を検出し、検出出力をデジタル信号に変換して基準信号と比較した結果に基づいて、充電回路の充電期間を制御する高圧電源装置を開示する。
【０００３】
【特許文献１】特開平３−２７６１６８号公報
【発明の開示】
【発明が解決しようとする課題】
【０００４】
本発明は、低電圧出力においても変圧出力の線形性を維持することができ、且つ、小型化することができる電源装置及び画像形成装置を提供することを目的とする。
【課題を解決するための手段】
【０００５】
上記目的を達成するため、請求項１に係る本発明は、出力電圧が互いに異なる複数の固定電源と、パルス幅を変更可能なパルスを生成するパルス生成手段と、このパルス生成手段が生成するパルスのパルス幅に応じて、前記固定電源のいずれかが出力する電圧を変圧して出力する変圧手段と、この変圧手段が変圧した電圧を検出する電圧検出手段と、この電圧検出手段の検出結果に応じて、前記パルス生成手段が生成するパルスのパルス幅を制御するパルス幅制御手段と、前記変圧手段の出力電圧を設定するための設定情報を取得する設定情報取得手段と、この設定情報取得手段が取得する設定情報に基づいて、前記固定電源のいずれが出力する電圧を前記変圧手段が変圧するかを切り替える切替手段とを有する電源装置である。
【０００６】
請求項２に係る本発明は、前記設定情報取得手段は、温度、湿度及び前記変圧手段の動作量の少なくともいずれかを設定情報として取得する請求項１記載の電源装置である。
【０００７】
請求項３に係る本発明は、前記切替手段が切り替えを行う場合に、前記パルス生成手段がパルスの生成を停止するよう制御する切替制御手段をさらに有する請求項１又は２記載の電源装置である。
【０００８】
請求項４に係る本発明は、像保持体と、この像保持体を帯電させる帯電装置と、この帯電装置が帯電させた前記像保持体に静電潜像を書き込む光書込み装置と、この光書込み装置が書き込んだ静電潜像を現像剤により可視化する現像装置と、この現像装置が可視化した現像剤像を記録媒体に転写する転写装置と、この転写装置が転写した現像剤像を記録媒体に定着させる定着装置と、前記帯電装置、前記現像装置及び前記転写装置の少なくともいずれかに電圧を印加する電源装置とを具備し、前記電源装置は、出力電圧が互いに異なる複数の固定電源と、パルス幅を変更可能なパルスを生成するパルス生成手段と、このパルス生成手段が生成するパルスのパルス幅に応じて、前記固定電源のいずれかが出力する電圧を変圧して出力する変圧手段と、この変圧手段が変圧した電圧を検出する電圧検出手段と、この電圧検出手段の検出結果に応じて、前記パルス生成手段が生成するパルスのパルス幅を制御するパルス幅制御手段と、前記変圧手段の出力電圧を設定するための設定情報を取得する設定情報取得手段と、この設定情報取得手段が取得する設定情報に基づいて、前記固定電源のいずれが出力する電圧を前記変圧手段が変圧するかを切り替える切替手段とを有する画像形成装置である。
【０００９】
請求項５に係る本発明は、前記設定情報取得手段は、温度、湿度及び前記像保持体の動作量の少なくともいずれかを設定情報として取得する請求項４記載の画像形成装置である。
【００１０】
請求項６に係る本発明は、前記切替手段が切り替えを行う場合に、前記パルス生成手段がパルスの生成を停止するよう制御する切替制御手段をさらに有する請求項４又は５記載の画像形成装置である。
【発明の効果】
【００１１】
請求項１に係る本発明によれば、低電圧出力においても変圧出力の線形性を維持することができ、且つ、小型化することができる。
【００１２】
請求項２に係る本発明によれば、請求項１に係る本発明の効果に加えて、温度、湿度及び変圧手段の動作量の少なくともいずれかに応じて変圧手段の出力電圧を設定することができる。
【００１３】
請求項３に係る本発明によれば、請求項１又は２に係る本発明の効果に加えて、切替手段が切り替えを行う場合に、変圧手段が変圧して出力する電圧が変動することを低減することができる。
【００１４】
請求項４に係る本発明によれば、低電圧出力においても変圧出力の線形性を維持することができ、且つ、小型化することができる。
【００１５】
請求項５に係る本発明によれば、請求項４に係る本発明の効果に加えて、温度、湿度及び変圧手段の動作量の少なくともいずれかに応じて変圧手段の出力電圧を設定することができる。
【００１６】
請求項６に係る本発明によれば、請求項４又は５に係る本発明の効果に加えて、切替手段が切り替えを行う場合に、変圧手段が変圧して出力する電圧が変動することを低減することができる。
【発明を実施するための最良の形態】
【００１７】
次に本発明の実施形態を図面に基づいて説明する。
図１において、本発明の実施形態に係る画像形成装置１０の概要が示されている。画像形成装置１０は、画像形成装置本体１２を有し、この画像形成装置本体１２内に画像形成部１４が搭載され、この画像形成装置本体１２の上部に排出部１６が設けられていると共に、この画像形成装置本体１２の下部に例えば２段の記録媒体供給装置１８，１８が配置されている。
【００１８】
それぞれの記録媒体供給装置１８，１８は、記録媒体供給装置本体２０と、用紙などの記録媒体が積載される記録媒体カセット２２とを有する。記録媒体カセット２２の奥端近傍上部にはピックアップロール２３が配置され、このピックアップロール２３の前方にフィードロール２４及びリタードロール２６が配置されている。フィードロール２４は、図示しない駆動部によって駆動され、記録媒体を搬送路２８に向けて送り出すように回転する。リタードロール２６は、フィードロール２４に対して圧接され、フィードロール２４の回転に従動可能にされており、フィードロール２４とともに記録媒体を１枚ずつ送り出すように回転する。
【００１９】
搬送路２８は、下段の記録媒体供給装置１８のフィードロール２４から排出ロール３０近傍の排出口までの記録媒体通路であり、この搬送路２８は、画像形成装置本体１２の正面（図１の左側面）近傍にあって、下段の記録媒体供給装置１８のフィードロール２４から後述する定着装置３６まで約垂直に形成されている部分を有する。この搬送路２８の定着装置３６の上流側に後述する転写装置４２と像保持体４４が配置され、転写装置４２と像保持体４４の上流側にレジストローラ３８が配置されている。
【００２０】
したがって、記録媒体供給装置１８，１８の記録媒体カセット２２からピックアップロール２３により送り出された記録媒体は、リタードロール２６及びフィードロール２４の協働により捌かれて最上部の記録媒体のみ搬送路２８に導かれ、レジストローラ３８により一次停止され、タイミングをとって後述する転写装置４２と像保持体４４との間に形成される転写ニップ部４３を通ってトナー像が転写され、この転写されたトナー像が定着装置３６により定着され、排出ロール３０により排出口から排出部１６へ排出される。
【００２１】
両面印刷の場合は、反転路に戻される。即ち、搬送路２８の排出ロール３０の手前は二股に分かれ、その分かれた部分に切換装置６４が設けられていると共に、分けられた部分からレジストローラ３８まで戻る反転路６６が形成されている。この反転路６６には搬送ローラ６８ａ〜６８ｃが設けられており、両面印刷の場合には、切換装置６４が反転路６６を開く側に切り換えられ、排出ロール３０に記録媒体の後端手前がかかる時点で排出ロール３０が反転し、記録媒体が反転路６６に導かれ、レジストローラ３８、転写装置４２と像保持体４４及び定着装置３６を通って排出部１６へ排出されるものである。
【００２２】
画像形成部１４は、例えば電子写真方式のもので、像保持体４４と、この像保持体４４を圧接によって一様帯電する帯電装置４６と、この帯電装置４６により帯電された像保持体４４に、光により潜像を書き込む光書込み装置４８と、この光書込み装置４８により形成された像保持体４４の潜像をトナーなどのトナーにより可視化する現像装置５０と、この現像装置５０によるトナー像を記録媒体に転写する例えば転写ロールからなる転写装置４２と、像保持体４４に残留するトナーをクリーニングするクリーニング装置５２とから構成されている。光書込み装置４８は例えば走査型のレーザ露光装置からなり、前述した記録媒体供給装置１８，１８と平行で画像形成装置本体１２の手前側近傍に配置され、現像装置５０内を横切って像保持体４４を露光する。クリーニング装置５２は、像保持体４４に接触し、温度に依存する弾性を有するクリーニング部材としてのクリーニングブレード５４と、このクリーニングブレード５４で掻き取られたトナーを収納するトナー回収部５６とを有する。プロセスカートリッジ６０は、像保持体４４、帯電装置４６、現像装置５０及びクリーニング装置５２を一体化したものである。
また、画像形成装置本体１２内には、後述するＣＰＵ（図示せず）などを含み、画像形成装置１０を構成する各部を制御する制御部７０と、画像形成装置１０を構成する各部に対して給電する電源装置７２とが設けられている。
【００２３】
次に、電源装置７２及びその周辺について詳述する。
図２は、電源装置７２及びその周辺を示すブロック図である。
電源装置７２は、第１の固定電源７４、第２の固定電源７６、スイッチ７８，８０、変圧部８２及び電圧検出回路８４を有し、制御部７０に含まれるＣＰＵ９０が接続されている。
【００２４】
第１の固定電源７４は、出力電圧が例えばＶｉａ（Ｖ）に固定された直流電源であり、スイッチ７８を介して直流電圧Ｖｉａを変圧部８２に駆動電圧として印加する。第２の固定電源７６は、出力電圧が第１の固定電源７４よりも低い例えばＶｉｂ（Ｖ）に固定された直流電源であり、スイッチ８０を介して直流電圧Ｖｉｂを変圧部８２に駆動電圧として印加する。
【００２５】
スイッチ７８は、ＣＰＵ９０が出力する第１のオン／オフ信号に応じて開閉するスイッチであり、第１の固定電源７４が出力する電圧を変圧部８２に対して供給又は遮断する。スイッチ８０は、ＣＰＵ９０が出力する第２のオン／オフ信号に応じて開閉するスイッチであり、第２の固定電源７６が出力する電圧を変圧部８２に対して供給又は遮断する。つまり、スイッチ７８は、第１の固定電源７４のスイッチであり、スイッチ８０は第２の固定電源７６のスイッチである。
【００２６】
変圧部８２は、トランス８６及び駆動回路８８などを含み、第１の固定電源７４又は第２の固定電源７６から印加される駆動電圧を変圧して出力する。トランス８６は、スイッチ７８，８０を介して接続される第１の固定電源７４及び第２の固定電源７６の出力電圧をそれぞれ一次側への駆動電圧として受け入れ、駆動回路８８の駆動に応じて、駆動電圧を変圧する。駆動回路８８は、後述するパルス幅変調部９６が出力する駆動クロックのパルス幅に応じて、トランス８６の一次側に流れる電流を変化させる。
【００２７】
電圧検出回路８４は、変圧部８２が変圧した電圧を検出し、ＣＰＵ９０に対して出力する。
【００２８】
ＣＰＵ９０は、制御部７０内に配置されており、例えばＡ／Ｄ変換器（ＡＤＣ）９２、メモリ９４及びパルス幅変調部（PWM：Pulse Width Modulation）９６などを内蔵している。Ａ／Ｄ変換器９２は、電圧検出回路８４が検出した電圧を受け入れてＡ／Ｄ変換する。メモリ９４は、変圧部８２の出力電圧の複数の目標値それぞれに１対１対応する設定値をそれぞれ記憶している。パルス幅変調部９６は、Ａ／Ｄ変換器９２がデジタル値に変換した電圧と、メモリ９４が記憶する設定値とをＣＰＵ９０が比較した結果に応じてパルス幅を設定し、設定したパルス幅のパルス（駆動クロック）を駆動回路８８に対して出力する。例えば、パルス幅変調部９６は、ＣＰＵ９０が比較した結果として、Ａ／Ｄ変換器９２が変換した電圧とメモリ９４が記憶する設定値とが一致するようにパルス幅を設定し、設定したパルス幅のパルス（駆動クロック）を駆動回路８８に対して出力する。
【００２９】
また、ＣＰＵ９０には、設定情報取得回路９８及びスイッチ７８，８０が接続されている。設定情報取得回路９８は、変圧部８２の出力電圧を設定（電圧値の設定、オン／オフの設定など）するための設定情報を取得する例えば温度・湿度センサであり、画像形成装置１０が配置されている環境の温度及び湿度を設定情報として検出し、ＣＰＵ９０に対して出力する。また、設定情報取得回路９８は、変圧部８２の動作量、又は像保持体４４の動作量（印刷枚数）を、変圧部８２の出力電圧を設定するための設定情報として取得するものであってもよい。さらに、ＣＰＵ９０は、図示しないＵＩ（ユーザインターフェイス）装置を介して、変圧部８２の出力電圧を設定するための設定情報を取得するようにされてもよい。
【００３０】
そして、ＣＰＵ９０は、設定情報取得回路９８から入力される設定情報に応じて、変圧部８２の出力電圧の目標値を設定し、設定した目標値に応じて、第１のオン／オフ信号及び第２のオン／オフ信号をスイッチ７８，８０に対してそれぞれ出力するとともに、変圧部８２の出力電圧の目標値及び電圧検出回路８４が検出した電圧に応じて、パルス幅変調部９６が出力する駆動クロックのパルス幅を設定する。
【００３１】
図３は、パルス幅変調部９６が出力する駆動クロックのパルス幅と、変圧部８２の出力電圧との関係を示すグラフである。
第１の固定電源７４が変圧部８２に駆動電圧を印加する場合において、駆動クロックのパルス幅（駆動クロックがオンの時間）が２５μｓ〜３５μｓの間で長くなると、変圧部８２の出力電圧はＶ３〜Ｖ５の間で線形性を維持して増加する。また、第１の固定電源７４が変圧部８２に駆動電圧を印加する場合、駆動クロックのパルス幅（駆動クロックがオンの時間）が２５μｓ〜１５μｓの間で短くなると、変圧部８２の出力電圧はＶ３〜Ｖ１ａの間で線形性を維持することなく低下する。例えば、駆動クロックのパルス幅が２０μｓの場合、変圧部８２の出力電圧がＶ２になることが理想的であるのに対し、変圧部８２の出力電圧は、Ｖ２よりも高いＶ２ａとなっている。また、駆動クロックのパルス幅が１５μｓの場合、変圧部８２の出力電圧がＶ１になることが理想的であるのに対し、変圧部８２の出力電圧は、Ｖ１よりも高いＶ１ａとなっている。
【００３２】
一方、第２の固定電源７６が変圧部８２に駆動電圧を印加する場合、駆動クロックのパルス幅（駆動クロックがオンの時間）が３５μｓ〜２５μｓの間で短くなると、変圧部８２の出力電圧がＶ３〜Ｖ１の間で線形性を維持して低下する。
したがって、ＣＰＵ９０の制御により、変圧部８２の駆動電圧を切り替えることにより、Ｖ１〜Ｖ５までの範囲で変圧部８２の出力電圧の線形性を維持することができる。
【００３３】
図４は、図３に示した特性を変圧部８２が有する場合に、変圧部８２の駆動電圧を切り替えるために、ＣＰＵ９０が出力する第１のオン／オフ信号及び第２のオン／オフ信号の組み合わせを示す図表である。
ＣＰＵ９０は、図４に示すように、変圧部８２の出力電圧（目標値）がＶ３よりも大きくＶ５以下である場合、第１のオン／オフ信号をＨにしてスイッチ７８をオンにし、第２のオン／オフ信号をＬにしてスイッチ８０をオフにすることにより、変圧部８２の駆動電圧を第１の固定電源７４の出力電圧にする。また、変圧部８２の出力電圧（目標値）がＶ１よりも大きくＶ３以下である場合、第１のオン／オフ信号をＬにしてスイッチ７８をオフにし、第２のオン／オフ信号をＨにしてスイッチ８０をオンにすることにより、変圧部８２の駆動電圧を第２の固定電源７６の出力電圧にする。
【００３４】
次に、変圧部８２が変圧して出力する出力電圧を目標値に設定するために、ＣＰＵ９０が行う処理について説明する。
図５は、変圧部８２が変圧して出力する出力電圧を目標値に設定するために、ＣＰＵ９０が行う処理（Ｓ１０）を示すフローチャートである。
図５に示すように、ステップ１００（Ｓ１００）において、ＣＰＵ９０は、設定情報取得回路９８を介して、変圧部８２の出力電圧を設定するための設定情報を取得する。
【００３５】
ステップ１０２（Ｓ１０２）において、ＣＰＵ９０は、Ｓ１００の処理で取得した設定情報に応じて、第１の固定電源７４又は第２の固定電源７６のいずれかを選択する。
【００３６】
ステップ１０４（Ｓ１０４）において、ＣＰＵ９０は、Ｓ１０２の処理で選択した固定電源のいずれかに対し、スイッチ７８，８０のいずれかをオンにする。
【００３７】
ステップ１０６（Ｓ１０６）において、ＣＰＵ９０は、Ｓ１００の処理で取得した設定情報に応じて、駆動クロックのパルス幅をパルス幅変調部９６によって設定する。
【００３８】
ステップ１０８（Ｓ１０８）において、ＣＰＵ９０は、設定したパルス幅の駆動クロックをパルス幅変調部９６によって出力する。
【００３９】
ステップ１１０（Ｓ１１０）において、ＣＰＵ９０は、設定情報取得回路９８を介して入力される設定情報に変更があるか否かを判定し、変更がある場合にはＳ１１２の処理に進み、変更がない場合にはＳ１０８の処理に進む。
【００４０】
ステップ１１２（Ｓ１１２）において、ＣＰＵ９０は、Ｓ１０２の処理で選択した固定電源を他方の第１の固定電源７４又は第２の固定電源７６のいずれかに切り替える必要があるか否かを判定し、必要がある場合にはＳ１１４の処理に進み、必要がない場合にはＳ１１８の処理に進む。
【００４１】
ステップ１１４（Ｓ１１４）において、ＣＰＵ９０は、パルス幅変調部９６による駆動クロックの出力を停止する。
例えば、図６に示すように、ＣＰＵ９０は、現在選択されている第１の固定電源７４に対する第１のオン／オフ信号をＨからＬに切り替える前に、駆動クロックの出力を停止（オフ）し、駆動回路８８の動作を停止（オフ）にすることにより、変圧部８２の出力電圧をオフ（Ｖｏａから０へ）にする。
【００４２】
ステップ１１６（Ｓ１１６）において、ＣＰＵ９０は、Ｓ１０２の処理で選択した固定電源を他方の第１の固定電源７４又は第２の固定電源７６のいずれかに切り替える。
例えば、図６に示すように、ＣＰＵ９０は、駆動クロックが停止している間（変圧部８２の出力電圧がオフである間）に、第１のオン／オフ信号をＬにすることによって変圧部８２に対する駆動電圧Ｖｉａを０にし、第２のオン／オフ信号をＨにすることによって変圧部８２に対する駆動電圧をＶｉｂにする。
【００４３】
ステップ１１８（Ｓ１１８）において、ＣＰＵ９０は、Ｓ１０６の処理で設定したパルス幅を変更する必要があるか否かを判定し、必要がある場合にはＳ１２０の処理に進み、必要がない場合にはＳ１２２の処理に進む。
【００４４】
ステップ１２０（Ｓ１２０）において、ＣＰＵ９０は、Ｓ１１０の処理で変更があると判定した設定情報に応じて、駆動クロックのパルス幅をパルス幅変調部９６によって設定する。
【００４５】
ステップ１２２（Ｓ１２２）において、ＣＰＵ９０は、設定したパルス幅の駆動クロックをパルス幅変調部９６によって出力する。
例えば、図６に示すように、ＣＰＵ９０は、駆動電圧をＶｉｂに切り替えた後に、駆動クロックの出力を開始する。このように、駆動電圧を切り替えた後に駆動クロックの出力を開始すると、変圧部８２の出力電圧に不要な電圧変動が生じない（図６参照）。
【００４６】
ステップ１２４（Ｓ１２４）において、ＣＰＵ９０は、設定情報取得回路９８又は図示しないＵＩ装置などを介して、変圧部８２が変圧する電圧の出力を停止する必要があるか否かを判定し、必要がある場合にはＳ１２６の処理に進み、必要がない場合にはＳ１１０の処理に進む。
【００４７】
ステップ１２６（Ｓ１２６）において、ＣＰＵ９０は、パルス幅変調部９６による駆動クロックの出力を停止する。
【００４８】
ステップ１２８（Ｓ１２８）において、ＣＰＵ９０は、変圧部８２に駆動電圧を印加している第１の固定電源７４又は第２の固定電源７６のいずれかに対し、オンにされているスイッチ７８，８０のいずれかをオフにする。
【００４９】
また、ＣＰＵ９０は、変圧部８２に駆動電圧を印加する固定電源を第２の固定電源７６から第１の固定電源７４に切り替える場合にも、第２のオン／オフ信号をＨからＬに切り替える前に、駆動クロックの出力を停止（オフ）し、駆動回路８８の動作を停止（オフ）にすることにより、変圧部８２の出力電圧をオフ（Ｖｏｂから０へ）にする。
そして、ＣＰＵ９０は、駆動クロックが停止している間（変圧部８２の出力電圧がオフである間）に、第２のオン／オフ信号をＬにすることによって変圧部８２に対する駆動電圧Ｖｉｂを０にし、第１のオン／オフ信号をＨにすることによって変圧部８２に対する駆動電圧をＶｉａにする。
さらに、ＣＰＵ９０は、駆動電圧をＶｉａに切り替えた後に、駆動クロックの出力を開始する。このように、駆動電圧を切り替えた後に駆動クロックの出力を開始すると、変圧部８２の出力電圧に不要な電圧変動が生じない（図６参照）。
【００５０】
図７は、固定電源の切替タイミングの比較例を示すタイミングチャートである。
図７に示すように、駆動クロックが出力し続けて駆動回路８８が動作し、変圧部８２が変圧した電圧を出力している状態で、第１の固定電源７４と第２の固定電源７６とが切り替えられると、変圧部８２の出力電圧に不要な電圧変動が生じる場合がある。変圧部８２の出力電圧に不要な電圧変動が生じると、画像形成装置１０が形成する画像の画質に不具合が生じてしまうことがある。
【図面の簡単な説明】
【００５１】
【図１】本発明の実施形態に係る画像形成装置の概要を示す側面図である。
【図２】電源装置及びその周辺を示すブロック図である。
【図３】パルス幅変調部が出力する駆動クロックのパルス幅と、変圧部の出力電圧との関係を示すグラフである。
【図４】図３に示した特性を変圧部が有する場合に、変圧部の駆動電圧を切り替えるために、ＣＰＵが出力する第１のオン／オフ信号及び第２のオン／オフ信号の組み合わせを示す図表である。
【図５】変圧部が変圧して出力する出力電圧を目標値に設定するために、ＣＰＵが行う処理（Ｓ１０）を示すフローチャートである。
【図６】固定電源の切替タイミングの実施例を示すタイミングチャートである。
【図７】固定電源の切替タイミングの比較例を示すタイミングチャートである。
【符号の説明】
【００５２】
１０    画像形成装置
３６    定着装置
４２    転写装置
４４    像保持体
４６    帯電装置
４８    光書込み装置
５０    現像装置
７０    制御部
７２    電源装置
７４    第１の固定電源
７６    第２の固定電源
７８，８０    スイッチ
８２    変圧部
８４    電圧検出回路
８６    トランス
８８    駆動回路
９０    ＣＰＵ
９２    Ａ／Ｄ変換器
９４    メモリ
９６    パルス幅変調部
９８    設定情報取得回路
【図１】
2009060707.tif 000003
【図２】
2009060707.tif 000004
【図３】
2009060707.tif 000005
【図４】
2009060707.tif 000006
【図５】
2009060707.tif 000007
【図６】
2009060707.tif 000008
【図７】
2009060707.tif 000009